(57)【要約】【課題】軽量化が可能な送風装置を提供すること。【解決手段】送風装置１は、ケース１０と、弾性部材である動力ゴム部材５８と、操作部である操作板５５と、ファン５０Ａとを備える。ケース１０は、蓄熱可能な蓄熱部材であるボトル９０を内部に収容する。動力ゴム部材５８は、弾性変形可能である。操作板５５は、手動操作した際の手動操作力を動力ゴム部材５８に印加して動力ゴム部材５８を弾性変形させる。ファン５０Ａは、弾性変形した動力ゴム部材５８の復原力により駆動して、ボトル９０に沿ってケース１０の内部に空気流を発生させる。【選択図】図１
2018193926.tif 000002
【特許請求の範囲】
【請求項１】
冷熱及び温熱の少なくともいずれかを蓄熱可能な蓄熱部材（９０）を内部に収容するケース（１０）と、
弾性変形可能な弾性部材（５８、２５８）と、
手動操作した際の手動操作力を前記弾性部材に印加して前記弾性部材を弾性変形させる操作部（５５）と、
弾性変形した前記弾性部材の復原力により駆動して、前記蓄熱部材に沿って前記ケースの内部に空気流を発生させるファン（５０Ａ）と、を備える送風装置。
【請求項２】
前記操作部は、前記弾性部材に対し、第１変形モードの弾性変形と、前記第１変形モードとは異なる第２変形モードの弾性変形とを、選択的に行なうことが可能であり、
前記ファンは、前記第１変形モードで弾性変形した前記弾性部材の復原力により駆動するときと、前記第２変形モードで弾性変形した前記弾性部材の復原力により駆動するときとでは、互いに回転方向が逆方向である請求項１に記載の送風装置。
【請求項３】
前記ファンは、回転軸線を取り囲む周方向に配列された複数の翼（５９）を有しており、
前記弾性部材は、前記複数の翼の列である翼列に対して、前記回転軸線の側に配置されている請求項１又は請求項２に記載の送風装置。
【発明の詳細な説明】
【技術分野】
【０００１】
ここに開示される技術は、蓄熱部材により温度変化した空気を送風する送風装置に関する。
【背景技術】
【０００２】
従来から、ケース内に収容された蓄冷材からなる蓄熱部材に沿って電動ファンで空気を流通し、吹出口から冷風を吹き出すことができる送風装置が知られている。このような送風装置は、例えば、下記特許文献１に開示されている。
【先行技術文献】
【特許文献】
【０００３】
【特許文献１】実用新案登録第３１１５９９５号公報
【発明の概要】
【発明が解決しようとする課題】
【０００４】
しかしながら、上記従来技術の送風装置では、ファンを回転させるためにモータや電源等が必要となり、送風装置の重量が大きくなり易いという問題がある。
【０００５】
ここに開示される技術は、軽量化が可能な送風装置を提供することを目的とする。
【課題を解決するための手段】
【０００６】
上記目的を達成するため、開示される送風装置では、
冷熱及び温熱の少なくともいずれかを蓄熱可能な蓄熱部材（９０）を内部に収容するケース（１０）と、
弾性変形可能な弾性部材（５８、２５８）と、
手動操作した際の手動操作力を弾性部材に印加して弾性部材を弾性変形させる操作部（５５）と、
弾性変形した弾性部材の復原力により駆動して、蓄熱部材に沿ってケースの内部に空気流を発生させるファン（５０Ａ）と、を備える。
【０００７】
これによると、操作部を手動操作した際の手動操作力により弾性部材を弾性変形させ、弾性変形した弾性部材の復原力によりファンを駆動して送風することができる。したがって、ファンを駆動するためにモータや電源等を用いる必要がない。このようにして、送風装置を軽量化することができる。
【０００８】
なお、特許請求の範囲およびこの項に記載した括弧内の符号は、ひとつの態様として後述する実施形態に記載の具体的手段との対応関係を示すものであって、開示技術の範囲を限定するものではない。
【図面の簡単な説明】
【０００９】
【図１】第１実施形態の送風装置の概略構成図である。
【図２】第１実施形態の送風装置の上面図である。
【図３】図１のＩＩＩ−ＩＩＩ線断面図である。
【図４】第１実施形態の送風装置のファン装置の拡大概略構成図である。
【図５】他の実施形態の送風装置のファン装置の拡大概略構成図である。
【図６】図５のＶＩ−ＶＩ線断面図である。
【発明を実施するための形態】
【００１０】
以下に、図面を参照しながら開示技術を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１実施形態）
開示技術を適用した第１実施形態について、図１〜図４を参照して説明する。図１に示すように、本実施形態の送風装置１は、ケース１０及びファン装置５０を備えている。ケース１０は、例えば樹脂製であり、ケース本体部２０と、蓋部３０とを有する。ケース本体部２０は、図示上下方向に延びる円筒部２１と、円筒部２１の一端部を閉塞するように設けられた底板部２２とが、一体的に形成されている。ケース本体部２０は、円筒部２１の内方に、ボトル９０を収容するためのボトル収容部４０を形成する。ボトル９０は、例えば、ポリエチレンテレフタレート樹脂で形成された所謂ペットボトルである。ボトル９０は、ボトル本体９１とキャップ９２とで構成され、ボトル本体９１の内部に飲料等の充填物が充填されている。
【００１２】
ボトル９０が冷却されて内部の充填物が常温よりも低温になると、ボトル９０は冷熱を蓄熱することができる。充填物が冷却により固化した場合には、ボトル９０は、冷熱を潜熱蓄熱することができる。ボトル９０が加熱されて内部の充填物が常温よりも高温になると、ボトル９０は温熱を蓄熱することができる。ボトル９０は、本実施形態における蓄熱部材に相当する。本例のボトル収容部４０には、例えば容量が５００ｍｌ又は３５０ｍｌのペットボトルが収容可能となっている。
【００１３】
ケース本体部２０は、円筒部２１の閉塞された端部近傍に、円筒部２１から外方に突出する筒状の突出部２３を有している。本例の突出部２３は円筒状であり、内方に第１開口４１が開口している。第１開口４１は、ボトル収容空間であるボトル収容部４０とケース１０の外部空間とを連通している。円筒部２１の底板部２２で閉塞された端部とは反対の端部近傍には、外周面に雄ねじ部２４が形成されている。雄ねじ部２４は、蓋部３０の雌ねじ部３４と螺合可能となっている。
【００１４】
蓋部３０は、図示上下方向に延びる円筒部３１と、円筒部３１の図示上方の一端部に設けられた天板部３２とを有している。蓋部３０は、円筒部３１の内方に、ファン装置５０のファン５０Ａを収容するためのファン収容部４４を形成する。蓋部３０は、円筒部３１の内方に、ファン収容部４４を区画するための区画壁部３３を有する。区画壁部３３は、円筒部３１の上下方向に延びる軸線に直交する方向に延在し、ファン収容部４４とボトル収容部４０とを仕切っている。円筒部３１の天板部３２が設けられた端部とは反対の端部近傍には、内周面に雌ねじ部３４が形成されている。雌ねじ部３４は、前述したように雄ねじ部２４と螺合可能となっている。円筒部２１及び円筒部３１は、本例では互いに外径が同一となっている。したがって、雄ねじ部２４と雌ねじ部３４とを螺合すると、円筒部２１外周面と円筒部３１外周面とが段差なく並ぶ。
【００１５】
雄ねじ部２４と雌ねじ部３４とを螺合させてケース本体部２０と蓋部３０とを組み合わせると、区画壁部３３が、円筒部２１の図示上方端部に位置付けられる。区画壁部３３は、図示下面からボトル収容部４０内に突出する円環状の環状突出部３３１を有している。円筒部２１の軸線と環状突出部３３１の軸線とは一致している。環状突出部３３１は、内部にボトル９０のキャップ９２が緩やかに嵌まり込むようになっている。環状突出部３３１は、キャップ９２を円筒部２１の径方向の中央に位置決めすることができる。環状突出部３３１によりキャップ９２が位置決めされると、ケース本体部２０の円筒部２１内周面とボトル本体９１の外周面との間に、周方向においてほぼ均一な寸法の隙間部が形成される。区画壁部３３には、環状突出部３３１よりも径方向外側に、第２開口４２が形成されている。第２開口４２は、例えば周方向に並ぶ扇紙形の複数の開口からなり、ボトル収容空間であるボトル収容部４０とファン収容空間であるファン収容部４４とを連通している。
【００１６】
天板部３２は、図示上面から外方に向かって円筒部３１軸線方向に突出する円環状の環状突出部３２１を有している。円筒部３１の軸線と環状突出部３２１の軸線とは一致している。天板部３２には、環状突出部３２１の内方となる円筒部３１軸線上に貫通孔３２２が形成されている。また、天板部３２には、環状突出部３２１の外方となる部位に貫通孔３２３が形成されている。天板部３２には、環状突出部３２１よりも径方向外側、且つ、貫通孔３２３形成部位よりも径方向外側に、第３開口４３が形成されている。図２にも示すように、第３開口４３は、例えば第２開口４２と同様に、周方向に並ぶ扇紙形の複数の開口からなり、ファン収容空間であるファン収容部４４とケース１０の外部空間とを連通している。第３開口４３は、外部からファン収容空間への異物の侵入やユーザの指等のファン収容空間への進入を抑止できる開口形状であることが好ましい。
【００１７】
ファン装置５０は、ファン５０Ａ、回転軸部５４、操作板５５、フック５６、５７、動力ゴム部材５８、及びストッパ６０を備える。ファン５０Ａは、例えば樹脂製であり、中空ボス部５１と、ブレードとも呼ばれる複数の翼５９とが一体成形されている。中空ボス部５１は、円筒部３１と同軸上に配置される円筒部５２と、円筒部５２の図示上端を閉塞するように設けられた平板部５３とを有する。複数の翼５９は、それぞれが円筒部５２の外周面から径方向外側に延出しており、ファン５０Ａの回転軸線を取り囲む周方向に所定間隔を空けて配列されている。ファン５０Ａは、回転軸線方向から導入した空気を回転軸線方向に導出する、所謂軸流ファンである。
【００１８】
平板部５３の図示上面には、図示上方に向かって回転軸部５４が突出している。ファン５０Ａの回転軸線上に配置された回転軸部５４は、貫通孔３２２に遊挿されて天板部３２に回転自在に支持されている。回転軸部５４のファン５０Ａ接続端部とは反対側の端部は、操作板５５に接続している。操作板５５は、環状突出部３２１の内方に配置される円板状部材であり、ファン５０Ａの回転軸線から外れた位置に操作孔５５１が開口している。操作孔５５１は、ユーザが指の先端等を差し込んで手動操作により操作板５５を容易に回転させることが可能なように設けられている。
【００１９】
平板部５３の図示下面の中央部には、回転側フックとしてのフック５６が取り付けられている。一方、平板部５３の図示下面に対向する区画壁部３３の図示上面の中央部には、固定側フックとしてのフック５７が取り付けられている。フック５６とフック５７との間には、動力ゴム部材５８が架け渡されている。動力ゴム部材５８は、単数又は複数の輪状のゴムバンドやゴム管により構成することができる。動力ゴム部材５８は、本実施形態における弾性部材に相当する。また、操作板５５は、手動操作した際の手動操作力を弾性部材に印加して弾性部材を弾性変形させる操作部に相当する。
【００２０】
平板部５３には、図示上面から凹む係止穴５３１が形成されている。係止穴５３１は、径方向における位置が貫通孔３２３に対応しており、回転軸線を囲む周方向に所定間隔を空けて複数設けられている。天板部３２の貫通孔３２３には、ストッパ６０が配設されている。ストッパ６０は、ケース１０の外方に突出する部位を操作することにより、ケース１０内方側の端部を、係止穴５３１に係止した状態と係止穴５３１から係止解除した状態とを設定可能になっている。
【００２１】
次に、上記構成に基づき送風装置１の作動について説明する。ここでは、送風装置１により冷風を吹き出す際の作動例を説明する。送風装置１を使用する場合には、まず、ケース本体部２０と蓋部３０との螺合を解除した状態でケース本体部２０のボトル収容部４０に充填物が凍結したボトル９０を配置し、雄ねじ部２４と雌ねじ部３４とを螺合してケース１０内にボトル９０を収容する。次に、ストッパ６０を係止解除状態として、操作板５５を回転操作する。操作板５５は、上方から見て時計回り方向と反時計回り方向との回転可能である。ここでは、反時計回り方向を第１方向、時計回り方向を第２方向と呼ぶ。
【００２２】
操作板５５を手動操作により第１方向に回転させると、フック５６も第１方向に回転して、動力ゴム部材５８が捩じれるように弾性変形する。操作板５５を所望量回転させたところで、一旦ストッパ６０を係止状態として、動力ゴム部材５８の弾性変形状態を維持する。そして、冷風の吹き出しを望むときには、ストッパ６０を係止解除状態に切り替える。これにより、弾性変形した動力ゴム部材５８の復原力により、ファン５０Ａが第２方向に回転駆動する。このファン５０Ａの駆動により、ケース１０内には、第１開口４１から第２開口４２を経由して第３開口４３へ向かう空気流れが形成される。
【００２３】
第１開口４１からケース１０内へ導入された空気は、ボトル収容部４０内をボトル本体９１の表面に沿って流れる際に、ボトル９０との熱交換により冷却される。ボトル収容部４０内で冷却された空気は、第２開口４２を通過し、更にファン収容部４４を通過して、第３開口４３からケース１０の外部へ吹き出される。
【００２４】
一方、操作板５５を手動操作により第２方向に回転させると、フック５６も第２方向に回転して、動力ゴム部材５８が捩じれるように弾性変形する。操作板５５を所望量回転させたところで、一旦ストッパ６０を係止状態として、動力ゴム部材５８の弾性変形状態を維持する。そして、冷風の吹き出しを望むときには、ストッパ６０を係止解除状態に切り替える。これにより、弾性変形した動力ゴム部材５８の復原力により、ファン５０Ａが第１方向に回転駆動する。このファン５０Ａの駆動により、ケース１０内には、第３開口４３から第２開口４２を経由して第１開口４１へ向かう空気流れが形成される。
【００２５】
第３開口４３からケース１０内へ導入された空気は、ファン収容部４４を通過し、第２開口４２からボトル収容部４０内へ導入される。ボトル収容部４０内をボトル本体９１の表面に沿って流れる空気は、ボトル９０との熱交換により冷却される。ボトル収容部４０内で冷却された空気は、第１開口４１からケース１０の外部へ吹き出される。
【００２６】
ここで、操作板５５を第１方向に回転させた際の動力ゴム部材５８の捩じれ弾性変形が、本実施形態における第１変形モードの弾性変形である。また、操作板５５を第２方向に回転させた際の動力ゴム部材５８の捩じれ弾性変形が、本実施形態における第２変形モードの弾性変形である。操作板５５の操作方向によって、動力ゴム部材５８に対して、第１変形モードの弾性変形と、第１変形モードとは異なる第２変形モードの弾性変形とを、選択的に行なうことができる。
【００２７】
そして、ファン５０Ａは、第１変形モードで弾性変形した動力ゴム部材５８の復原力により駆動するときと、第２変形モードで弾性変形した動力ゴム部材５８の復原力により駆動するときとでは、互いに回転方向が逆方向となる。これにより、第３開口４３から冷風を吹き出すモードと、第１開口４１から冷風を吹き出すモードとを、選択的に切り替えることができる。
【００２８】
なお、冷風吹出強度及び冷風吹出継続時間は、動力ゴム部材５８の仕様、及び、ファン５０Ａの質量を含む仕様等により、好適に設定できる。また、ケース本体部２０のボトル収容部４０に充填物が加熱されたボトル９０を収容した場合には、第１開口４１又は第３開口４３から温風を吹き出すことができる。
【００２９】
本実施形態の送風装置１によれば、以下に述べる効果を得ることができる。送風装置１は、ケース１０と、弾性部材である動力ゴム部材５８と、操作部である操作板５５と、ファン５０Ａとを備える。ケース１０は、蓄熱可能な蓄熱部材であるボトル９０を内部に収容する。動力ゴム部材５８は、弾性変形可能である。操作板５５は、手動操作した際の手動操作力を動力ゴム部材５８に印加して動力ゴム部材５８を弾性変形させる。ファン５０Ａは、弾性変形した動力ゴム部材５８の復原力により駆動して、ボトル９０に沿ってケース１０の内部に空気流を発生させる。
【００３０】
これによると、操作板５５を手動操作した際の手動操作力により動力ゴム部材５８を弾性変形させ、弾性変形した動力ゴム部材５８の復原力によりファン５０Ａを駆動して送風することができる。したがって、ファン５０Ａを駆動するためにモータや電源等を用いる必要がない。このようにして、送風装置１を比較的軽量化することができる。
【００３１】
また、送風装置１の構造を比較的簡素化することができる。その結果、比較的安価な送風装置１を提供することができる。また、送風装置の電源が不要であるので、使用場所の制約を受け難い。また、ファン装置５０に冷却後の冷風が流れ、ファン装置５０で結露が発生しても、電気系統を有していないので、漏電等の心配がない。
【００３２】
また、操作板５５は、動力ゴム部材５８に対し、第１変形モードの弾性変形と、第１変形モードとは異なる第２変形モードの弾性変形とを、選択的に行なうことが可能である。そして、ファン５０Ａは、第１変形モードで弾性変形した動力ゴム部材５８の復原力により駆動するときと、第２変形モードで弾性変形した動力ゴム部材５８の復原力により駆動するときとでは、互いに回転方向が逆方向である。これによると、操作板５５の手動操作によって、動力ゴム部材５８を第１変形モードに弾性変形したときと、弾性部材を第２変形モードに弾性変形したときとで、空気流の方向を容易に逆にすることができる。
【００３３】
送風装置１は、ケース１０の円筒部２１、３１の延在方向を適宜設定して使用することが可能である。一例として、図１図示上方向を天方向、図示下方向を地方向として机上に載置し使用することができる。このときには、第３開口４３から上方へ空気を吹き出すモードと、第１開口４１から水平方向へ空気を吹き出すモードとを選択することができる。他の例として、図１図示上下方向を水平方向として机上に載置し使用することができる。このときには、第３開口４３から水平方向へ空気を吹き出すモードと、第１開口４１から突出部２３の突出方向へ空気を吹き出すモードとを選択することができる。
【００３４】
ケース１０の外形は、円柱状でなくてもよい。例えば、ケース外形を多角柱状とすれば、送風装置を寝かせた姿勢で机上等に載置する際に、各種の姿勢を設定することができる。また、ケース１０のうち、少なくとも突出部２３よりも図１図示下方部は、外形寸法をボトル本体９１の外形寸法に近似させることが好ましい。これによれば、例えば車両の室内に設けられたボトルホルダ等に送風装置１を載置して使用することができる。車室内の後席用のボトルホルダに送風装置１を載置して使用すれば、例えば、車室内の空調が不充分な始動直後等に、車両用空調装置の吹出口からの空調風が届き難い後席において、乗員が快適感を得易い。
【００３５】
また、ファン５０Ａは、回転軸線を取り囲む周方向に配列された複数の翼５９を有しており、動力ゴム部材５８は、複数の翼５９の翼列に対して、回転軸線の側に配置されている。これによると、動力ゴム部材５８を複数の翼５９の翼列の内方に配置することができる。したがって、送風装置１の小型化に寄与することができる。
【００３６】
（他の実施形態）
この明細書に開示される技術は、その開示技術を実施するための実施形態に何ら制限されることなく、種々変形して実施することが可能である。開示される技術は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示技術の技術的範囲は、実施形態の記載に限定されない。開示技術のいくつかの技術的範囲は、特許請求の範囲の記載によって示され、さらに特許請求の範囲の記載と均等の意味及び範囲内での全ての変更を含むものと解されるべきである。
【００３７】
上記実施形態では、弾性部材として動力ゴム部材５８を採用していたが、これに限定されるものではない。例えば、図５及び図６に示すように、ゼンマイバネ部材２５８を弾性部材とすることができる。図５及び図６に示す例では、渦巻き状の板ばねであるゼンマイバネ部材２５８の外方側の端部をファン５０Ａの円筒部５２に設けた係止部２５６に係止し、内方側の端部を区画壁部３３に取り付けた固定軸２５７に係止している。ゼンマイバネ部材２５８は、円筒部５２の内方に配置されている。すなわち、ゼンマイバネ部材２５８は、複数の翼５９の翼列に対して、回転軸線の側に配置されている。このような構成のファン装置２５０を採用しても、上記実施形態と同様の効果を得ることができる。
【００３８】
また、上記実施形態では、操作部である操作板５５はファン５０Ａと一体的に形成されていた。しかしながら、これに限定されるものではない。例えば、操作部となる操作摘み部をファンに対して着脱可能としてもかまわない。
【００３９】
また、上記実施形態では、軸流ファンであるファン５０Ａを用いていたが、これに限定されるものではない。ファンとして、例えば、遠心式ファンやクロスフローファンを用いてもかまわない。また、ファンのタイプに応じて、第１開口及び第３開口の位置を設定することができる。
【００４０】
また、上記実施形態では、ファン５０Ａがボトル収容部４０の上方又は側方に位置付けられる姿勢で用いられる送風装置１について説明したが、これに限定されるものではない。例えば、ファンがボトル収容部の下方に位置付けられる送風装置であってもよい。開示技術を適用した送風装置であれば、電気系統を有しないので、結露水がファン収容部に進入する構成であってもダメージを受け難い。
【００４１】
また、上記実施形態では、ケース１０を樹脂製とする例を説明したが、これに限定されるものではない。例えば、断熱層を有する金属製のケースとしてもかまわない。もちろん、樹脂製のケースに断熱層を組み合わせてもよい。また、蓄熱部材の外表面に熱的に接続可能なフィン部材をケースの内方に配設して、流通する空気との熱交換効率を上昇させてもよい。
【００４２】
また、上記実施形態では、弾性部材の復原力を直接ファンに伝達する構成であったが、これに限定されるものではない。弾性部材の復原力を、例えばギア装置等の増速機構を介してファンに伝達するものであってもよい。また、ファンの回転時間を長くするためにフライホイール等を採用してもよい。ギア装置やフライホイール等を採用する場合には、弾性部材の配設位置は、ファンの翼列の内方側でなくてもかまわない。また、弾性部材の復原力を直接ファンに伝達するものであっても、弾性部材の配設位置は、ファンの翼列の内方側でなくてもかまわない。
【００４３】
また、上記実施形態では、弾性部材の弾性変形モードを複数設定可能であり、ファンが第１開口から第３開口へ向かう空気流れと、第３開口から第１開口へ向かう空気流れとを形成可能であったが、これに限定されるものではない。空気流れの方向は一方向に限定されるものであってもよい。
【００４４】
また、上記実施形態では、蓄熱部材としてボトル９０を用いていたが、これに限定されるものではない。例えば、専用の蓄冷体や蓄熱体を蓄熱部材としてもよい。
【００４５】
また、上記実施形態では、蓄熱部材の蓄熱状態により冷風及び温風の両者を吹き出し可能としていたが、これに限定されるものではない。冷熱のみを蓄熱する蓄熱部材を用いて冷風のみを吹き出し可能な送風装置や、温熱のみを蓄熱する蓄熱部材を用いて温風のみを吹き出し可能な送風装置に開示技術を適用しても有効である。
【符号の説明】
【００４６】
１  送風装置
１０  ケース
５０Ａ  ファン
５５  操作板（操作部）
５８  動力ゴム部材（弾性部材）
５９  翼
９０  ボトル（蓄熱部材）
２５８  ゼンマイバネ部材（弾性部材）
【図１】
2018193926.tif 000003
【図２】
2018193926.tif 000004
【図３】
2018193926.tif 000005
【図４】
2018193926.tif 000006
【図５】
2018193926.tif 000007
【図６】
2018193926.tif 000008